(57)【要約】【課題】補強金具と相手方補強金具との係合状態を確実に維持することができ、補強金具と相手方補強金具との導通状態を確実に維持することができ、信頼性が高くなるようにする。【解決手段】補強金具は、嵌合ガイド部に固定される本体部と、本体部の左右両端に基端が接続され、コネクタ本体の長手方向に延在する左右一対の接続腕部と、接続腕部に接続され、相手方コネクタ本体に装填された相手方補強金具と接触する左右一対の接触腕部とを含み、本体部及び／又は接続腕部の側面には、はんだ上がり又はフラックス上がりを防止するバリア部が形成されている。【選択図】図１
2018163894.tif 000002
【特許請求の範囲】
【請求項１】
（ａ）コネクタ本体と、該コネクタ本体に装填される端子と、前記コネクタ本体に装填される補強金具とを備えるコネクタであって、
（ｂ）前記コネクタ本体は、長手方向両端に形成された嵌合ガイド部であって、相手方コネクタの相手方コネクタ本体の長手方向両端に形成された相手方嵌合ガイド部と嵌合する嵌合ガイド部を含み、
（ｃ）前記補強金具は、前記嵌合ガイド部に固定される本体部と、該本体部の左右両端に基端が接続され、前記コネクタ本体の長手方向に延在する左右一対の接続腕部と、該接続腕部に接続され、前記相手方コネクタ本体に装填された相手方補強金具と接触する左右一対の接触腕部とを含み、
（ｄ）前記本体部及び／又は接続腕部の側面には、はんだ上がり又はフラックス上がりを防止するバリア部が形成されていることを特徴とするコネクタ。  
【請求項２】
前記本体部及び接続腕部の側面には、ニッケルの下地めっきの上に金めっきが施され、前記バリア部は、ニッケルが表面に露出した部分である請求項１に記載のコネクタ。
【請求項３】
前記補強金具における下端には、基板上の接続パッドに接続される接続脚部が接続され、前記バリア部は、前記本体部及び／又は接続腕部と接続脚部との間に形成されている請求項１又は２に記載のコネクタ。
【請求項４】
前記接続脚部は、前記接続腕部の下端に接続された第１接続脚部であって、前記コネクタの幅方向から観た形状が略Ｌ字状の第１接続脚部を含む請求項３に記載のコネクタ。
【請求項５】
前記第１接続脚部は、上下方向に向けて延在する垂直部と、該垂直部からコネクタ本体の長手方向外方に向いて延出する水平部とを含み、該水平部の下端が前記接続パッドに接続される請求項４に記載のコネクタ。
【請求項６】
前記接続脚部は、前記本体部の下端に接続された第２接続脚部であって、前記コネクタの幅方向から観た形状が略Ｌ字状の第２接続脚部を含む請求項３に記載のコネクタ。
【請求項７】
前記接触腕部は接触上腕部と接触前腕部とを含み、
前記接触上腕部は、基端が前記接続腕部の先端における上端に接続され、先端が下方を向いて前記嵌合ガイド部の側壁部を跨ぐ上側覆部と、該上側覆部の先端に接続され、前記嵌合ガイド部の側壁部の内側に配設される内側覆部とを含み、
前記接触前腕部は、前記内側覆部に接続され、前記嵌合ガイド部の側壁部の内側に配設され、前記嵌合ガイド部の嵌合凹部に挿入された前記相手方嵌合ガイド部に取付けられた相手方補強金具と接触する請求項１〜６のいずれか１項に記載のコネクタ。
【請求項８】
請求項１〜７のいずれか１項に記載のコネクタと、該コネクタと嵌合する相手方コネクタとを有するコネクタ対。
【発明の詳細な説明】
【技術分野】
【０００１】
本発明は、コネクタに関するものである。
【背景技術】
【０００２】
従来、一対の平行な回路基板同士を電気的に接続するために、基板対基板コネクタ等のコネクタが使用されている。このようなコネクタは、一対の回路基板における相互に対向する面の各々に取付けられ、互いに嵌（かん）合して導通するようになっている。また、両端部に取付けた補強金具をロック部材として機能させ、相手方コネクタとの嵌合状態を保持する技術が提案されている（例えば、特許文献１参照。）。
【０００３】
図１１は従来のコネクタの補強金具を示す斜視図である。なお、図において、（ａ）は第２補強金具を示す図、（ｂ）は第１補強金具を示す図である。
【０００４】
図１１（ｂ）において、８５１は図示されない第１回路基板に実装される第１コネクタのハウジングにおける長手方向の両端部に取付けられる第１補強金具であり、図１１（ａ）において、９５１は図示されない第２回路基板に実装される第２コネクタのハウジングにおける長手方向の両端部に取付けられる第２補強金具である。
【０００５】
前記第１補強金具８５１は、金属板に打抜き、曲げ等の加工を施して一体的に形成された部材であり、第１コネクタの幅方向に延在する板状の本体部８５２、該本体部８５２の両端から第１コネクタの長手方向に延出する側方係合片８５８、該側方係合片８５８の下端に接続された第１回路基板にはんだ付される固定用の第１基板接続部８５６ａ、前記本体部８５２の下端に接続された第１回路基板にはんだ付される固定用の第２基板接続部８５６ｂ、前記側方係合片８５８の内側面に形成された側方係合凸部８５８ａ、及び、前記側方係合片８５８の先端に形成されたハウジング係止用凸部８５４を備える。
【０００６】
また、前記第２補強金具９５１は、金属板に打抜き、曲げ等の加工を施して一体的に形成された部材であり、第２コネクタの幅方向中央に配設される板状の本体部９５２、該本体部９５２の左右両端から第２コネクタの幅方向外側に延出する側方係合片９５８、該側方係合片９５８の先端に形成された側方係合凸部９５８ａ、前記本体部９５２の下端（図に示される姿勢では上端）に接続された第２回路基板にはんだ付される固定用の基板接続部９５６、及び、前記本体部９５２の一面に形成されたハウジング係止用凸部９５２ａを備える。
【０００７】
そして、第１コネクタと第２コネクタとが嵌合すると、第１補強金具８５１の側方係合凸部８５８ａと第２補強金具９５１の側方係合凸部９５８ａとが互いに係合する。これにより、第１コネクタと第２コネクタとがロックされ、その嵌合状態が保持される。
【先行技術文献】
【特許文献】
【０００８】
【特許文献１】特開２００９−２７７３６５号公報
【発明の概要】
【発明が解決しようとする課題】
【０００９】
しかしながら、前記従来のコネクタにおいては、第１補強金具８５１と第２補強金具９５１とに電流を流すことを想定していないので、特に第１補強金具８５１の側方係合片８５８に十分な柔軟性が付与されていない。そのため、例えば、第１補強金具８５１及び第２補強金具９５１を第１回路基板及び第２回路基板の電源ラインに接続しておくことによって、第１回路基板の電源ラインと第２回路基板の電源ラインとが、第１補強金具８５１及び第２補強金具９５１を介して、電気的に接続されるようにした場合、第１回路基板及び第２回路基板が実装されている電子機器等が落下したり外力を受けたりする際に発生する振動や衝撃が伝達されると、第１補強金具８５１と第２補強金具９５１との導通が一時的に遮断される、いわゆる瞬断と呼ばれる現象が発生してしまうことがある。
【００１０】
本発明は、前記従来のコネクタの問題点を解決して、補強金具と相手方補強金具との係合状態を確実に維持することができ、補強金具と相手方補強金具との導通状態を確実に維持することができる信頼性の高いコネクタを提供することを目的とする。
【課題を解決するための手段】
【００１１】
そのために、本発明のコネクタにおいては、コネクタ本体と、該コネクタ本体に装填（てん）される端子と、前記コネクタ本体に装填される補強金具とを備えるコネクタであって、前記コネクタ本体は、長手方向両端に形成された嵌合ガイド部であって、相手方コネクタの相手方コネクタ本体の長手方向両端に形成された相手方嵌合ガイド部と嵌合する嵌合ガイド部を含み、前記補強金具は、前記嵌合ガイド部に固定される本体部と、該本体部の左右両端に基端が接続され、前記コネクタ本体の長手方向に延在する左右一対の接続腕部と、該接続腕部に接続され、前記相手方コネクタ本体に装填された相手方補強金具と接触する左右一対の接触腕部とを含み、前記本体部及び／又は接続腕部の側面には、はんだ上がり又はフラックス上がりを防止するバリア部が形成されている。
【００１２】
本発明の他のコネクタにおいては、さらに、前記本体部及び接続腕部の側面には、ニッケルの下地めっきの上に金めっきが施され、前記バリア部は、ニッケルが表面に露出した部分である。
【００１３】
本発明の更に他のコネクタにおいては、さらに、前記補強金具における下端には、基板上の接続パッドに接続される接続脚部が接続され、前記バリア部は、前記本体部及び／又は接続腕部と接続脚部との間に形成されている。
【００１４】
本発明の更に他のコネクタにおいては、さらに、前記接続脚部は、前記接続腕部の下端に接続された第１接続脚部であって、前記コネクタの幅方向から観た形状が略Ｌ字状の第１接続脚部を含む。
【００１５】
本発明の更に他のコネクタにおいては、さらに、前記第１接続脚部は、上下方向に向けて延在する垂直部と、該垂直部からコネクタ本体の長手方向外方に向いて延出する水平部とを含み、該水平部の下端が前記接続パッドに接続される。
【００１６】
本発明の更に他のコネクタにおいては、さらに、前記接続脚部は、前記本体部の下端に接続された第２接続脚部であって、前記コネクタの幅方向から観た形状が略Ｌ字状の第２接続脚部を含む。
【００１７】
本発明の更に他のコネクタにおいては、さらに、前記接触腕部は接触上腕部と接触前腕部とを含み、前記接触上腕部は、基端が前記接続腕部の先端における上端に接続され、先端が下方を向いて前記嵌合ガイド部の側壁部を跨（また）ぐ上側覆部と、該上側覆部の先端に接続され、前記嵌合ガイド部の側壁部の内側に配設される内側覆部とを含み、前記接触前腕部は、前記内側覆部に接続され、前記嵌合ガイド部の側壁部の内側に配設され、前記嵌合ガイド部の嵌合凹部に挿入された前記相手方嵌合ガイド部に取付けられた相手方補強金具と接触する。
【００１８】
本発明のコネクタ対においては、前記コネクタと、該コネクタと嵌合する相手方コネクタとを有する。
【発明の効果】
【００１９】
本発明によれば、コネクタは、補強金具と相手方補強金具との係合状態を確実に維持することができ、補強金具と相手方補強金具との導通状態を確実に維持することができ、信頼性を向上させることができる。
【図面の簡単な説明】
【００２０】
【図１】本発明の実施の形態における第１コネクタの斜視図であって、（ａ）は斜め上から観た図、（ｂ）は斜め下から観た図である。
【図２】本発明の実施の形態における第１コネクタの斜め上から観た分解図である。
【図３】本発明の実施の形態における第１コネクタの斜め下から観た分解図である。
【図４】本発明の実施の形態における第１コネクタの側面図である。
【図５】本発明の実施の形態における第１補強金具の六面図であって、（ａ）は正面図、（ｂ）は側面図、（ｃ）は背面図、（ｄ）は（ｃ）におけるＡ−Ａ矢視断面図、（ｅ）は上面図、（ｆ）は下面図である。
【図６】本発明の実施の形態における第２コネクタの斜視図であって、（ａ）は斜め上から観た図、（ｂ）は斜め下から観た図である。
【図７】本発明の実施の形態における第２コネクタの斜め上から観た分解図である。
【図８】本発明の実施の形態における第２コネクタの斜め下から観た分解図である。
【図９】本発明の実施の形態におけるコネクタの嵌合工程が完了した状態を示す斜視図であって、（ａ）は第２コネクタ側から観た図、（ｂ）は第１コネクタ側から観た図である。
【図１０】本発明の実施の形態におけるコネクタの嵌合工程が完了した状態の第１補強金具及び第２補強金具を示す斜視図であって、（ａ）は第２コネクタ側から観た図、（ｂ）は第１コネクタ側から観た図である。
【図１１】従来のコネクタの補強金具を示す斜視図であって、（ａ）は第２補強金具を示す図、（ｂ）は第１補強金具を示す図である。
【発明を実施するための形態】
【００２１】
以下、本発明の実施の形態について図面を参照しながら詳細に説明する。
【００２２】
図１は本発明の実施の形態における第１コネクタの斜視図、図２は本発明の実施の形態における第１コネクタの斜め上から観た分解図、図３は本発明の実施の形態における第１コネクタの斜め下から観た分解図、図４は本発明の実施の形態における第１コネクタの側面図、図５は本発明の実施の形態における第１補強金具の六面図である。なお、図１において、（ａ）は斜め上から観た図、（ｂ）は斜め下から観た図であり、図５において、（ａ）は正面図、（ｂ）は側面図、（ｃ）は背面図、（ｄ）は（ｃ）におけるＡ−Ａ矢視断面図、（ｅ）は上面図、（ｆ）は下面図である。
【００２３】
図において、１は本実施の形態におけるコネクタであって、一対の基板対基板コネクタの一方としての第１コネクタである。該第１コネクタ１は、実装部材としての図示されない基板である第１基板の表面に実装される表面実装型のコネクタであって、後述される相手方コネクタとしての第２コネクタ１０１と互いに嵌合される。また、該第２コネクタ１０１は一対の基板対基板コネクタの他方であり、実装部材としての図示されない基板である第２基板の表面に実装される表面実装型のコネクタである。
【００２４】
なお、本実施の形態における第１コネクタ１及び第２コネクタ１０１は、好適には、基板としての第１基板及び第２基板を電気的に接続するために使用するものであるが、他の部材を電気的に接続するためにも使用することができる。前記第１基板及び第２基板は、例えば、電子機器等に使用されるプリント回路基板、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等であるが、いかなる種類の基板であってもよい。
【００２５】
また、本実施の形態において、第１コネクタ１及び第２コネクタ１０１の各部の構成及び動作を説明するために使用される上、下、左、右、前、後等の方向を示す表現は、絶対的なものでなく相対的なものであり、前記第１コネクタ１及び第２コネクタ１０１の各部が図に示される姿勢である場合に適切であるが、その姿勢が変化した場合には姿勢の変化に応じて変更して解釈されるべきものである。
【００２６】
そして、前記第１コネクタ１は、合成樹脂等の絶縁性材料によって一体的に形成されたコネクタ本体としての第１ハウジング１１を有する。該第１ハウジング１１は、図に示されるように、概略直方体である概略長方形の厚板状の形状を備え、第２コネクタ１０１が嵌入される側、すなわち、嵌合面１１ａ側（図２における上側）には、周囲が囲まれた概略長方形の凹部１２が形成されている。そして、該凹部１２内には島部としての第１凸部１３が第１ハウジング１１と一体的に形成され、また、前記第１凸部１３の両側には該第１凸部１３と平行に延在する側壁部１４が第１ハウジング１１と一体的に形成されている。
【００２７】
この場合、前記第１凸部１３及び側壁部１４は、凹部１２の底面から上方に向けて突出し、第１ハウジング１１の長手方向に延在する。これにより、前記第１凸部１３の両側には、凹部１２の一部として、第１ハウジング１１の長手方向に延在する細長い凹部である凹溝部１２ａが形成される。
【００２８】
ここで、前記第１凸部１３の両側の側面には凹溝状の第１端子収容内側キャビティ１５ａが形成されている。また、前記側壁部１４の内側の側面には凹溝状の第１端子収容外側キャビティ１５ｂが形成されている。そして、前記第１端子収容内側キャビティ１５ａと第１端子収容外側キャビティ１５ｂとは、凹溝部１２ａの底面において連結され互いに一体化しているので、第１端子収容内側キャビティ１５ａと第１端子収容外側キャビティ１５ｂとを統合的に説明する場合には、第１端子収容キャビティ１５として説明する。
【００２９】
本実施の形態において、第１端子収容キャビティ１５は、第１ハウジング１１の長手方向に並んで該第１ハウジング１１の幅方向両側に形成されている。具体的には、第１凸部１３の両側に、所定のピッチで複数個ずつ形成されている。そして、第１端子収容キャビティ１５の各々に収容される端子としての第１端子６１も、第１凸部１３の両側に、同様のピッチで複数個ずつ配設されている。
【００３０】
前記第１端子６１は、導電性の金属板に打抜き、曲げ等の加工を施すことによって一体的に形成された部材であり、被保持部６３と、該被保持部６３の下端に接続されたテール部６２と、前記被保持部６３の上端に接続された上側接続部６７と、該上側接続部６７の内方端近傍に形成された第２接触部６６と、該第２接触部６６に接続された下側接続部６４と、該下側接続部６４の自由端近傍に形成された第１接触部６５とを備える。
【００３１】
そして、前記被保持部６３は、上下方向、すなわち、第１ハウジング１１の厚さ方向に延在し、前記第１端子収容外側キャビティ１５ｂに嵌入されて保持される部分である。また、前記テール部６２は、被保持部６３に対して曲げて接続され、左右方向、すなわち、第１ハウジング１１の幅方向の外方を向いて延出し、第１基板の導電トレースに連結された接続パッドにはんだ付等によって接続される。なお、前記導電トレースは、典型的には、信号ラインである。さらに、前記上側接続部６７は、被保持部６３に対して曲げて接続され、第１ハウジング１１の幅方向の内方を向いて延出する。
【００３２】
前記上側接続部６７の内方端には、下方に向けて曲げられ、かつ、第１ハウジング１１の幅方向に内方を向いて突出する湾曲した第２接触部６６が形成されている。また、前記下側接続部６４は、前記第２接触部６６の下端に接続されたＵ字状の側面形状を備える部分である。前記下側接続部６４の自由端、すなわち、前記内方の上端近傍には、Ｕ字状に曲げられ、かつ、第１ハウジング１１の幅方向に外方を向いて突出する湾曲した第１接触部６５が形成されている。
【００３３】
前記第１端子６１は、実装面１１ｂ側（図３における下側）から、第１端子収容キャビティ１５内に嵌入され、被保持部６３が側壁部１４の内側の側面に形成された第１端子収容外側キャビティ１５ｂの側壁によって両側から挟持されることにより、第１ハウジング１１に固定される。この状態、すなわち、第１端子６１が第１ハウジング１１に装填された状態において、前記第１接触部６５と第２接触部６６とは、凹溝部１２ａの左右両側に位置し、互いに向合っている。
【００３４】
なお、第１端子６１は、金属板に加工を施すことによって一体的に形成された部材であるので、ある程度の弾性を備える。そして、その形状から明らかなように、互いに向合う第１接触部６５と第２接触部６６との間隔は、弾性的に変化可能である。すなわち、第１接触部６５と第２接触部６６との間に第２コネクタ１０１が備える後述される第２端子１６１が挿入されると、それにより、第１接触部６５と第２接触部６６との間隔は弾性的に伸長する。
【００３５】
また、前記第１ハウジング１１の長手方向両端には嵌合ガイド部としての第１突出端部２１が各々配設されている。各第１突出端部２１には、前記凹部１２の一部として嵌合凹部２２が形成されている。該嵌合凹部２２は、略長方形の凹部であり、各凹溝部１２ａの長手方向両端に接続されている。そして、前記嵌合凹部２２内には、第１コネクタ１及び第２コネクタ１０１が嵌合された状態において、該第２コネクタ１０１が備える後述される第２突出端部１２２が挿入される。
【００３６】
さらに、前記第１突出端部２１は、側壁部１４の長手方向両端から第１ハウジング１１の長手方向に延出する第１突出端部２１の側壁部としての側壁延長部２１ｃと、第１ハウジング１１の幅方向に延在し、両端が側壁延長部２１ｃに接続された端壁部２１ｂとを備える。各第１突出端部２１において、端壁部２１ｂとその両端に接続された側壁延長部２１ｃとは、連続した略コ字状の側壁を形成し、略長方形の嵌合凹部２２の三方を画定する。
【００３７】
そして、前記第１突出端部２１には、補強金具としての第１補強金具５１が取付けられる。該第１補強金具５１は、第１突出端部２１に形成された第１金具保持凹部２６内に収容されて保持される。該第１金具保持凹部２６は、嵌合面側から観て、連続した略コ字状であり、第１突出端部２１の上面２１ａに開口し、該上面２１ａから第１ハウジング１１の厚さ方向下向きに延出するスリット状の空間である。
【００３８】
また、前記端壁部２１ｂ及び側壁延長部２１ｃによって形成された略コ字状の側壁は、第１金具保持凹部２６によって内壁部２１ｆと外壁部２１ｋとに分割される。前記内壁部２１ｆは、略コ字状であって、側壁部１４の長手方向両端に連結されている。一方、外壁部２１ｋは、端壁部２１ｂの中央部近傍に対応する部分のみが存在し、端壁部２１ｂの両端部近傍に対応する部分及び側壁延長部２１ｃに対応する部分は欠落している。そして、前記第１金具保持凹部２６は、端壁部２１ｂの両端部近傍に対応し、端壁部２１ｂの外面に開口する第１接続腕部収容開口部２６ｅ、及び、側壁延長部２１ｃに対応し、該側壁延長部２１ｃの外面に開口する第２接続腕部収容開口部２６ａを備える。外壁部２１ｋの中央部２１ｇの外壁面は、第１ハウジング１１の長手方向の最外側面である。
【００３９】
さらに、前記端壁部２１ｂにおける内側面には、第１凸部１３に向けて突出する内端凸部２５が形成されている。該内端凸部２５における第１凸部１３と対向する対向平面２５ａは、第１コネクタ１の各部の第１ハウジング１１の長手方向に関する位置決めを行う際の基準面として機能する平面である。
【００４０】
本実施の形態において、第１補強金具５１は、金属板に打抜き、曲げ等の加工を施すことによって一体的に形成された部材であり、第１ハウジング１１の外壁部２１ｋの中央部２１ｇに固定される本体部としての第１本体部５２と、該第１本体部５２の左右両端に接続された接続腕部５３と、該接続腕部５３に接続された接触腕部５４と、前記第１本体部５２の上端に接続された中央ガイド部５７とを備える。なお、前記接触腕部５４は、接続腕部５３に接続された接触上腕部５４Ａと、該接触上腕部５４Ａに接続された接触前腕部５４Ｂとを含んでいる。
【００４１】
前記第１本体部５２は、全体的に第１ハウジング１１の幅方向に延在する細長い帯状の部材であるが、その左右両端には、前記第１本体部５２に対して曲げて接続され、先端が第１ハウジング１１の長手方向の内方を向いて延出するコーナ部５２ａが接続されている。したがって、両端のコーナ部５２ａを含む第１本体部５２は、上方から観て、すなわち、平面視において略コ字となっている。
【００４２】
また、前記第１本体部５２の下端には、第１基板に接続される接続脚部として第２接続脚部５６ｂが接続されている。該第２接続脚部５６ｂは、上端近傍が、第１本体部５２と同様に、上下方向（第１ハウジング１１の厚さ方向）に延在するが、途中から曲がり、先端が第１ハウジング１１の長手方向の外方を向いており、第１コネクタ１の側方から観た形状が略Ｌ字状となっている。そして、前記第２接続脚部５６ｂは、その先端の下端が、第１基板の導電トレースに連結された接続パッドにはんだ付等によって接続固定される。なお、前記導電トレースは、典型的には、電力ラインである。
【００４３】
そして、前記コーナ部５２ａの先端に接続腕部５３が接続されている。該接続腕部５３は、第１ハウジング１１の長手方向及び厚さ方向に延在する平板状の部分であり、その基端における下端に、第１基板に接続される接続脚部として第１接続脚部５６ａが接続され、その先端における上端に、前記接触上腕部５４Ａが接続されている。
【００４４】
前記第１接続脚部５６ａは、接続腕部５３と同様に、第１ハウジング１１の長手方向及び厚さ方向に延在する平板状の部分であり、第１コネクタ１の側方から観た形状が略Ｌ字状となっている。具体的には、前記第１接続脚部５６ａは、上下方向（第１ハウジング１１の厚さ方向）に延在し、上端が接続腕部５３に接続される垂直部５６ａ１と、該垂直部５６ａ１の下端から第１ハウジング１１の長手方向外方に向いて延出する水平部５６ａ２とを含んでいる。そして、前記第１接続脚部５６ａは、その下端（水平部５６ａ２の下端）が第１基板の導電トレースに連結された接続パッドにはんだ付等によって接続固定される。なお、前記導電トレースは、典型的には、電力ラインである。
【００４５】
また、前記接触上腕部５４Ａは、基端が接続腕部５３の上端に接続され、先端が下方を向くように、約１８０度湾曲した形状を備え、側壁延長部２１ｃの上を跨ぐ上側覆部５４ａと、該上側覆部５４ａの先端に基端が接続され、下方を向いて延出し、側壁延長部２１ｃの内側に配設される内側覆部５４ｂとを備える。前記上側覆部５４ａは、図１に示すような第１補強金具５１が第１突出端部２１に取付けられた状態において、側壁延長部２１ｃの一部の上面を覆うように形成されている。
【００４６】
さらに、前記接触前腕部５４Ｂは、基端が内側覆部５４ｂの下端における前端（第１ハウジング１１の長手方向内側端）に接続され、第１ハウジング１１の長手方向の内方を向いて延出する。なお、前記接触前腕部５４Ｂは、第１ハウジング１１の幅方向の内方を向いて膨出する湾曲凸部５４ｃを備える。該湾曲凸部５４ｃは、第１コネクタ１及び第２コネクタ１０１が嵌合した状態において、該第２コネクタ１０１の後述される第２補強金具１５１が備える接触側板部１５５と接触する部分である。
【００４７】
なお、第１補強金具５１は、金属板に加工を施すことによって一体的に形成された部材であるので、ある程度の弾性を備える。前記第１補強金具５１の板厚は、全体に亘（わた）ってほぼ一定である。そして、その形状から明らかなように、互いに向合う左右の湾曲凸部５４ｃ同士の間隔は、弾性的に変化可能である。すなわち、左右の湾曲凸部５４ｃ同士の間に第２コネクタ１０１の第２補強金具１５１が挿入されると、それにより、左右の湾曲凸部５４ｃ同士の間隔は弾性的に伸長する。
【００４８】
前述のように、第１接続脚部５６ａの下端及び第２接続脚部５６ｂの下端は、第１基板の接続パッドに接続固定される。したがって、接触前腕部５４Ｂの湾曲凸部５４ｃが弾性的に変位するようにばねとして機能する部分は、２つの接続脚部のうちで湾曲凸部５４ｃのより近くに位置する第１接続脚部５６ａの下端から接触前腕部５４Ｂの湾曲凸部５４ｃまでの部分である。つまり、第１接続脚部５６ａ、接続腕部５３、接触上腕部５４Ａ及び接触前腕部５４Ｂを合計した部分のばね長は、該部分に沿った経路上の、第１接続脚部５６ａの下端から湾曲凸部５４ｃまでの距離である。
【００４９】
本実施の形態において、第１コネクタ１の側方から観た形状が略Ｌ字状の第１接続脚部５６ａは、接続腕部５３の基端（第１ハウジング１１の長手方向外側端）における下端に接続され、かつ、その先端が第１ハウジング１１の長手方向の外方を向いている。これにより、第１接続脚部５６ａの下端から湾曲凸部５４ｃまでの距離であるばね長を、長くすることができ、接触前腕部５４Ｂの湾曲凸部５４ｃの弾性的な変位量を大きくすることができる。したがって、前記湾曲凸部５４ｃは、第２補強金具１５１の接触側板部１５５との接触を確実に維持することができる。
【００５０】
また、第１接続脚部５６ａの下端及び第２接続脚部５６ｂの下端が接続固定された第１基板の接続パッドが電力ラインに連結されたものであるとすると、第１補強金具５１が電力用端子としても機能し、第１補強金具５１に電流が流れることとなる。この場合、第２接続脚部５６ｂの下端からの電流と、第１接続脚部５６ａの下端からの電流とが接続腕部５３において合流し、接触前腕部５４Ｂにまで流れることとなる。
【００５１】
本実施の形態において、接続腕部５３の幅寸法は、図４に示されるようになっている。接続腕部５３の基端、すなわち、第１本体部５２のコーナ部５２ａに接続された部分であって、第１接続脚部５６ａの後端５６ｒとの接続部分の幅寸法Ｗ１よりも、第１接続脚部５６ａの前端５６ｆとの接続部分の幅寸法Ｗ２の方が大きくなっている。なお、第１本体部５２における第２接続脚部５６ｂとの接続部分からコーナ部５２ａの先端までに亘る部分の幅寸法は、幅寸法Ｗ１とほぼ等しくなっている。そして、接続腕部５３の先端における上端、すなわち、接触上腕部５４Ａが接続された部分であって、接触上腕部５４Ａの前端５４ｆ及び後端５４ｒとの接続部分の幅寸法Ｗ４は、幅寸法Ｗ２とほぼ等しくなっている。また、接触上腕部５４Ａにおける基端から先端までに亘る全体の幅寸法は、幅寸法Ｗ４とほぼ等しくなっている。さらに、接続腕部５３の先端における下端の外形形状は、接触上腕部５４Ａの後端５４ｒを中心とする円弧状となっているが、その半径寸法Ｗ３は、幅寸法Ｗ１よりやや大きくなっている。
【００５２】
このように、接続腕部５３における第１接続脚部５６ａの前端５６ｆよりも先端寄りの部分及び接触腕部５４の幅は、より具体的には、接続腕部５３における第１接続脚部５６ａの前端５６ｆよりも先端寄りの部分から接触上腕部５４Ａの先端までの経路の幅は、第１本体部５２における第２接続脚部５６ｂとの接続部分から接触前腕部５４Ｂの基端までの経路の幅よりも大きく設定されている。したがって、第２接続脚部５６ｂの下端からの電流に、第１接続脚部５６ａの下端からの電流が合流し、より多くの電流が接触前腕部５４Ｂにまで流れるようになっても、経路の幅が増大しているので、導電抵抗が低く、発熱等の問題が生じることがない。
【００５３】
また、第１接続脚部５６ａは、接続腕部５３と面一で、第１ハウジング１１の長手方向及び厚さ方向に延在する平板状となっているので、第１ハウジング１１の幅方向外側に突出しない。したがって、第１基板の表面における第１コネクタ１の実装面積が増加してしまうことがない。また、第１接続脚部５６ａは、第１コネクタ１の側方から観た形状が略Ｌ字状なので、第１基板の接続パッドに接続固定される部分である下端の面積が大きくなっている。したがって、第１接続脚部５６ａの接続パッドへの固定がより確実になるとともに、第１接続脚部５６ａと接続パッドとの間の接続抵抗を低くすることができる。
【００５４】
さらに、図５に示されるように、第１接続脚部５６ａを含む接続腕部５３の表側及び裏側の側面、並びに、第２接続脚部５６ｂを含む第１本体部５２の表側及び裏側の側面には、はんだ上がり又はフラックス上がりを防止するためのバリア部５８が形成されていることが望ましい。該バリア部５８は、第１接続脚部５６ａを含む接続腕部５３の前後方向及び第２接続脚部５６ｂを含む第１本体部５２の幅方向に延在する連続する帯状の部分であり、第１接続脚部５６ａ及び第２接続脚部５６ｂを第１基板の接続パッドにはんだ付する際に、溶融したはんだ又ははんだに含まれるフラックスが溶融して第１接続脚部５６ａ及び第２接続脚部５６ｂの側面に沿って上昇する現象である、はんだ上がり又はフラックス上がりを防止する。
【００５５】
具体的には、第１補強金具５１が、金属板の表面に下地めっきとしてニッケル（Ｎｉ）めっきが施された部材であり、第１接続脚部５６ａを含む接続腕部５３の表側及び裏側の側面、並びに、第２接続脚部５６ｂを含む第１本体部５２の表側及び裏側の側面には更に金（Ａｕ）めっきが施されているとすると、図５（ｂ）、（ｄ）〜（ｆ）に示されるようにレーザビーム５９を照射することによって、該レーザビーム５９が照射された部分では金が溶融してニッケルが表面に露出し、前記バリア部５８が形成される。
【００５６】
例えば、図５（ｂ）及び（ｅ）に示されるように、斜め方向に照射されているレーザビーム５９−１及び５９−２に対して、第１補強金具５１を図５（ｅ）において上から下に移動させることにより、第１接続脚部５６ａを含む接続腕部５３及び第２接続脚部５６ｂを含む第１本体部５２の表側の側面にバリア部５８が形成される。また、図５（ｄ）及び（ｆ）に示されるように、斜め方向に照射されているレーザビーム５９−３及び５９−４に対して、第１補強金具５１を図５（ｆ）において上から下に移動させることにより、第１接続脚部５６ａを含む接続腕部５３及び第２接続脚部５６ｂを含む第１本体部５２の裏側の側面にバリア部５８が形成される。なお、レーザビーム５９−１〜５９−４を統合的に説明する場合には、レーザビーム５９として説明する。
【００５７】
この場合、第１コネクタ１の側方から観た形状が略Ｌ字状の第１接続脚部５６ａが、接続腕部５３と面一で、第１ハウジング１１の長手方向及び厚さ方向に延在する平板状となっていて、接続腕部５３の第１ハウジング１１の長手方向外側端における下端に接続され、かつ、その先端が第１ハウジング１１の長手方向の外方を向いているので、第１接続脚部５６ａの下端にレーザビーム５９が照射されることがない。したがって、第１接続脚部５６ａの下端にバリア部５８が形成されてしまうことがないので、第１接続脚部５６ａの下端を第１基板の導電トレースに連結された接続パッドに確実にはんだ付することができる。
【００５８】
前記中央ガイド部５７は、第１補強金具５１が第１突出端部２１に取付けられた状態において、内壁部２１ｆの上面及び端壁部２１ｂにおける内側面の一部を覆う部材である。そして、前記中央ガイド部５７は、基端が第１本体部５２の上端に接続され、先端が斜め下方を向くように湾曲した形状の上側覆部５７ａと、該上側覆部５７ａの先端に基端が接続され、先端が下方を向いて延出する内側覆部５７ｂとを備える。
【００５９】
なお、該内側覆部５７ｂの下端中央部には、内端凸部２５を収容する凸部収容開口５７ｃが形成され、これにより、第１補強金具５１が第１突出端部２１に取付けられた状態においても、対向平面２５ａは嵌合凹部２２内に露出する。また、前記凸部収容開口５７ｃが内端凸部２５と嵌合することによって、第１補強金具５１の第１突出端部２１に対する位置決めが行われる。
【００６０】
次に、第２コネクタ１０１の構成について説明する。
【００６１】
図６は本発明の実施の形態における第２コネクタの斜視図、図７は本発明の実施の形態における第２コネクタの斜め上から観た分解図、図８は本発明の実施の形態における第２コネクタの斜め下から観た分解図である。なお、図６において、（ａ）は斜め上から観た図、（ｂ）は斜め下から観た図である。
【００６２】
本実施の形態における相手方コネクタとしての第２コネクタ１０１は、合成樹脂等の絶縁性材料によって一体的に形成された相手方コネクタ本体としての第２ハウジング１１１を有する。該第２ハウジング１１１は、図に示されるように、概略直方体である概略長方形の厚板状の形状を備える。そして、第２ハウジング１１１の第１コネクタ１に嵌入される側、すなわち、嵌合面１１１ａ側（図７における上側）には、第２ハウジング１１１の長手方向に延在する細長い凹溝部１１３と、該凹溝部１１３の外側を画定するとともに、第２ハウジング１１１の長手方向に延在する細長い凸部としての第２凸部１１２とが一体的に形成されている。該第２凸部１１２は、凹溝部１１３の両側に沿って、かつ、第２ハウジング１１１の両側に沿って形成されている。
【００６３】
また、各第２凸部１１２には、相手方端子としての第２端子１６１が配設されている。該第２端子１６１は、第１端子６１に対応するピッチで、かつ、対応する数だけ配設されている。前記凹溝部１１３は、第２基板に実装される側、すなわち、実装面１１１ｂ側（図８における下側）が底板によって閉止されている。
【００６４】
前記第２端子１６１は、導電性の金属板に打抜き、曲げ等の加工を施すことによって一体的に形成された部材であり、図示されない本体部と、該本体部の下端に接続されたテール部１６２と、前記本体部の上端に接続された第１接触部１６５と、該第１接触部１６５の上端に接続された接続部１６４と、該接続部１６４の外方端に接続された第２接触部１６６とを備える。
【００６５】
そして、前記本体部は、第２ハウジング１１１に周囲を囲まれて保持される部分であり、図示されない部分である。また、前記テール部１６２は、本体部の左右方向、すなわち、第２ハウジング１１１の幅方向に延在する下端に接続され、第２ハウジング１１１の外方を向いて延出し、第２基板の導電トレースに連結された接続パッドにはんだ付等によって接続される。なお、前記導電トレースは、典型的には、信号ラインである。
【００６６】
前記第２端子１６１は、オーバーモールド乃至インサート成形と称される成形方法によって第２ハウジング１１１と一体化される。すなわち、第２ハウジング１１１は、第２端子１６１をあらかじめ内部にセットした金型のキャビティ内に絶縁性材料を充填することによって成形される。これにより、第２端子１６１は、本体部が第２ハウジング１１１内に埋没し、第１接触部１６５、接続部１６４及び第２接触部１６６の表面が第２凸部１１２の各側面及び嵌合面１１１ａに露出した状態で、第２ハウジング１１１に一体的に取付けられる。
【００６７】
そして、前記第２ハウジング１１１の長手方向両端には相手方嵌合ガイド部としての第２突出端部１２２が各々配設されている。該第２突出端部１２２は、第２ハウジング１１１の幅方向に延在し、両端が各第２凸部１１２の長手方向両端に接続された肉厚の部材であり、その上面は略長方形の形状を備える。そして、前記第２突出端部１２２は、第１コネクタ１及び第２コネクタ１０１が嵌合された状態において、前記第１コネクタ１が備える第１突出端部２１の嵌合凹部２２に挿入される挿入凸部として機能する。
【００６８】
また、前記第２突出端部１２２は、第２ハウジング１１１の長手方向に延在する側壁部１２２ｂと、両端が側壁部１２２ｂに接続された端壁部１２２ａと、補強金具収容凹部１２２ｃとを備える。そして、相手方補強金具としての第２補強金具１５１は、前記補強金具収容凹部１２２ｃに収容され、第２突出端部１２２に取付けられる。
【００６９】
本実施の形態における第２補強金具１５１は、金属板に打抜き、曲げ等の加工を施すことによって一体的に形成された部材であり、第２ハウジング１１１の幅方向に延在する細長い帯状の第２本体部１５２と、該第２本体部１５２の上端に接続された中央覆部１５７と、該中央覆部１５７の左右両端に接続された側方覆部１５４と、該側方覆部１５４の一側縁に接続された保持用突出片１５８と、前記側方覆部１５４の他側縁に接続された接触側板部１５５と、該接触側板部１５５の下端に接続された基板接続部１５６とを備える。
【００７０】
前記中央覆部１５７は、図６に示されるように、第２補強金具１５１が第２突出端部１２２に取付けられた状態において、該第２突出端部１２２の上面の大半を覆う程度の形状及び大きさに形成された部材である。
【００７１】
また、前記側方覆部１５４は、中央覆部１５７の左右両端から第２ハウジング１１１の長手方向に延出し、第２凸部１１２の長手方向両端近傍の上面と平行になる部材である。そして、前記接触側板部１５５は、第２凸部１１２の長手方向両端近傍の外側の側面と平行になる部材である。また、前記保持用突出片１５８は、第２凸部１１２の長手方向両端近傍の内側の側面と平行になる部材である。なお、側方覆部１５４とその両側縁に接続された保持用突出片１５８及び接触側板部１５５とは、連続したＵ字状の形状を備える。
【００７２】
さらに、前記基板接続部１５６は、第２ハウジング１１１の外方を向いて延出し、第２基板の導電トレースに連結された接続パッドにはんだ付等によって接続固定される。前記導電トレースは、典型的には、電力ラインである。
【００７３】
次に、前記構成の第１コネクタ１と第２コネクタ１０１とを嵌合させる動作について説明する。
【００７４】
図９は本発明の実施の形態におけるコネクタの嵌合工程が完了した状態を示す斜視図、図１０は本発明の実施の形態におけるコネクタの嵌合工程が完了した状態の第１補強金具及び第２補強金具を示す斜視図である。なお、図９及び１０において、（ａ）は第２コネクタ側から観た図、（ｂ）は第１コネクタ側から観た図である。
【００７５】
ここで、第１コネクタ１は、第１端子６１のテール部６２が図示されない第１基板の導電トレースに連結された接続パッドにはんだ付等によって接続されるとともに、第１補強金具５１の第１接続脚部５６ａ及び第２接続脚部５６ｂが第１基板の導電トレースに連結された接続パッドにはんだ付等によって接続されることにより、第１基板に表面実装されているものとする。なお、前記第１端子６１のテール部６２が接続される接続パッドに連結された導電トレースは、信号ラインであり、前記第１補強金具５１の第１接続脚部５６ａ及び第２接続脚部５６ｂが接続される接続パッドに連結された導電トレースは、電力ラインであるものとする。
【００７６】
同様に、第２コネクタ１０１は、第２端子１６１のテール部１６２が図示されない第２基板の導電トレースに連結された接続パッドにはんだ付等によって接続されるとともに、第２補強金具１５１の基板接続部１５６が第２基板の導電トレースに連結された接続パッドにはんだ付等によって接続されることにより、第２基板に表面実装されているものとする。なお、前記第２端子１６１のテール部１６２が接続される接続パッドに連結された導電トレースは、信号ラインであり、前記第２補強金具１５１の基板接続部１５６が接続される接続パッドに連結された導電トレースは、電力ラインであるものとする。
【００７７】
まず、オペレータは、第１コネクタ１の第１ハウジング１１の嵌合面１１ａと第２コネクタ１０１の第２ハウジング１１１の嵌合面１１１ａとを対向させた状態とし、第２コネクタ１０１の第２凸部１１２の位置が第１コネクタ１の対応する凹溝部１２ａの位置と合致し、第２コネクタ１０１の第２突出端部１２２の位置が第１コネクタ１の対応する嵌合凹部２２の位置と合致すると、第１コネクタ１と第２コネクタ１０１との位置合せが完了する。
【００７８】
この状態で、第１コネクタ１及び／又は第２コネクタ１０１を相手側に接近する方向、すなわち、嵌合方向に移動させると、第２コネクタ１０１の第２凸部１１２及び第２突出端部１２２が第１コネクタ１の凹溝部１２ａ及び嵌合凹部２２内に挿入される。これにより、図９に示されるように、第１コネクタ１と第２コネクタ１０１との嵌合が完了すると、第１端子６１と第２端子１６１とが導通した状態となる。
【００７９】
具体的には、各第１端子６１の第１接触部６５と第２接触部６６との間に第２コネクタ１０１の第２端子１６１が挿入され、第１端子６１の第１接触部６５と第２端子１６１の第１接触部１６５とが接触し、第１端子６１の第２接触部６６と第２端子１６１の第２接触部１６６とが接触する。その結果、第１端子６１のテール部６２が接続された第１基板上の接続パッドに連結された導電トレースと、第２端子１６１のテール部１６２が接続された第２基板上の接続パッドに連結された導電トレースとが導通する。
【００８０】
そして、第１端子６１のばね部としての機能によって、第１接触部６５と第２接触部６６とが第２端子１６１を両側から挟持する。これにより、第２端子１６１が第１端子６１によって強固に保持されるので、第２端子１６１が第１端子６１から離脱することが防止され、第１コネクタ１と第２コネクタ１０１との嵌合が確実に維持される。
【００８１】
ところで、面積の広い第１基板及び第２基板に第１コネクタ１及び第２コネクタ１０１が各々実装されているので、オペレータは、第１コネクタ１の嵌合面と第２コネクタ１０１の嵌合面とを目視することができず、手探りで嵌合作業を行うこととなる。すると、手探りなので正確な位置合せをすることができず、第１コネクタ１の位置と第２コネクタ１０１の位置とがずれてしまうことがある。例えば、第１コネクタ１に対して第２コネクタ１０１が位置ずれした状態であって、かつ、第１コネクタ１の嵌合面に対して第２コネクタ１０１の嵌合面が傾斜した状態となることがある。
【００８２】
このような状態で、オペレータが第１コネクタ１及び／又は第２コネクタ１０１を嵌合方向に移動させると、第１コネクタ１のいずれか一方の第１突出端部２１に、第２コネクタ１０１のいずれか一方の第２突出端部１２２が当接してしまい、前記第１突出端部２１は、第２突出端部１２２から嵌合方向の、すなわち、図２における上から下へ向けた大きな押圧力を受けることとなる。
【００８３】
しかし、本実施の形態においては、第１突出端部２１には第１補強金具５１が取付けられ、第１突出端部２１は第１補強金具５１の中央ガイド部５７及び接触上腕部５４Ａによって覆われているので、第２突出端部１２２から大きな押圧力を受けても、該押圧力は、第１補強金具５１の第１接続脚部５６ａ及び第２接続脚部５６ｂを介して第１基板に伝達されるので、前記第１突出端部２１にはほとんど伝達されることがない。したがって、前記第１突出端部２１が損傷を受けたり、破損したりしてしまうことがない。
【００８４】
また、第２突出端部１２２には第２補強金具１５１が取付けられ、第２突出端部１２２は第２補強金具１５１の中央覆部１５７及び側方覆部１５４によって覆われているので、第１突出端部２１から大きな押圧力を受けても、該押圧力は、第２補強金具１５１の基板接続部１５６を介して第２基板に伝達されるので、前記第２突出端部１２２にはほとんど伝達されることがない。したがって、前記第２突出端部１２２が損傷を受けたり、破損したりしてしまうことがない。
【００８５】
そして、第１コネクタ１と第２コネクタ１０１との嵌合が完了すると、第１端子６１と第２端子１６１とが導通した状態となるとともに、第１コネクタ１が備える第１補強金具５１と第２コネクタ１０１が備える第２補強金具１５１とが相互に係合した状態となる。これにより、第１補強金具５１と第２補強金具１５１とが導通した状態となり、電力ラインの導通が維持される。
【００８６】
具体的には、図１０に示されるように、第１補強金具５１の内側に第２補強金具１５１が挿入され、第１補強金具５１の左右の接触前腕部５４Ｂにおける湾曲凸部５４ｃが第２補強金具１５１の左右の接触側板部１５５に接触する。この際、左右の湾曲凸部５４ｃは、第２補強金具１５１の左右の接触側板部１５５によって押広げられ、第１ハウジング１１の幅方向外側へ、すなわち、外方へ変位する。すると、接触前腕部５４Ｂ、該接触前腕部５４Ｂが接続された接触上腕部５４Ａ及び該接触上腕部５４Ａが接続された接続腕部５３が備えるばね性によって、すなわち、ばね部としての機能によって、前記湾曲凸部５４ｃの表面が接触側板部１５５の表面に押圧される。
【００８７】
これにより、湾曲凸部５４ｃの表面と接触側板部１５５の表面との接触が確実に維持されるので、第１補強金具５１と第２補強金具１５１との導通が確実に維持される。
【００８８】
ここで、第１補強金具５１は、第１接続脚部５６ａ、接続腕部５３、接触上腕部５４Ａ及び接触前腕部５４Ｂまでの長いばね長を備える。したがって、湾曲凸部５４ｃは、長いばね長を備えるばね部である第１接続脚部５６ａから接触前腕部５４Ｂまでの部分の自由端に位置し、弾性的な変位量が大きくなっている。これにより、第１基板及び第２基板が実装されている電子機器等が落下したり外力を受けたりする際に発生する振動や衝撃が伝達され、第１補強金具５１に対して第２補強金具１５１が相対的に変位した場合であっても、湾曲凸部５４ｃは、接触側板部１５５の変位に追従して接触状態を維持することができるので、第１補強金具５１と第２補強金具１５１との導通状態が確実に維持され、導通が一時的に遮断される、いわゆる瞬断と呼ばれる現象が発生することがない。
【００８９】
また、第１補強金具５１は、第１接続脚部５６ａ及び第２接続脚部５６ｂが、第１基板の電力ラインに連結された接続パッドに接続されているので、大電流を流すことができる。この場合、第１接続脚部５６ａからの電流と第２接続脚部５６ｂからの電流とが、接続腕部５３において合流し、接触前腕部５４Ｂにまで流れることとなるが、該接触前腕部５４Ｂにおける第１接続脚部５６ａの前端５６ｆよりも先端寄りの部分から接触上腕部５４Ａの先端までの経路の幅寸法が、第１本体部５２における第２接続脚部５６ｂとの接続部分から接触前腕部５４Ｂの基端までの経路の幅寸法よりも大きく設定されている。したがって、第２接続脚部５６ｂからの電流に、第１接続脚部５６ａからの電流が合流し、より多くの電流が接触前腕部５４Ｂにまで流れるようになっても、経路の幅寸法が増大しているので、導電抵抗が低く、発熱等の問題が生じることがない。また、前述のように、第１接続脚部５６ａから接触前腕部５４Ｂまでの部分は、長いばね長を得るために経路が長くなっているが、幅寸法が大きくなっているので、抵抗が低く、発熱等の問題が生じることがない。
【００９０】
このように、本実施の形態において、第１コネクタ１は、第１ハウジング１１と、第１ハウジング１１に装填される第１端子６１と、第１ハウジング１１に装填される第１補強金具５１とを備える。そして、第１ハウジング１１は、長手方向両端に形成された第１突出端部２１であって、第２コネクタ１０１の第２ハウジング１１１の長手方向両端に形成された第２突出端部１２２と嵌合する第１突出端部２１を含み、第１補強金具５１は、第１突出端部２１に固定される第１本体部５２と、第１本体部５２の左右両端に基端が接続され、第１ハウジング１１の長手方向に延在し、第１突出端部２１の側壁延長部２１ｃの外側に配設される左右一対の接続腕部５３と、接続腕部５３の先端における上端に基端が接続され、第２ハウジング１１１に装填された第２補強金具１５１と接触する左右一対の接触腕部５４とを含み、接続腕部５３の基端における下端には、第１基板上の接続パッドに接続される第１接続脚部５６ａであって、第１コネクタ１の側方から観た形状が略Ｌ字状の第１接続脚部５６ａの上端が接続されている。
【００９１】
これにより、第２補強金具１５１と接触する部分までのばね長を長くすることができ、第１補強金具５１と第２補強金具１５１との係合状態を確実に維持することができ、第１補強金具５１と第２補強金具１５１との導通状態を確実に維持することができ、信頼性を向上させることができる。
【００９２】
また、第１接続脚部５６ａは、上下方向に向けて延在する垂直部５６ａ１と、垂直部５６ａ１から第１ハウジング１１の長手方向外方に向いて延出する水平部５６ａ２とを含み、水平部５６ａ２の下端が接続パッドに接続される。したがって、接続パッドに接続される部分の面積が大きくなり、接続パッドへの固定がより確実になるとともに、第１接続脚部５６ａと接続パッドとの間の接続抵抗を低くすることができる。
【００９３】
さらに、第１本体部５２の下端には、第１基板上の接続パッドに接続される第２接続脚部５６ｂであって、第１コネクタ１の側方から観た形状が略Ｌ字状の第２接続脚部５６ｂの上端が接続されている。これにより、第１接続脚部５６ａに加えて、第２接続脚部５６ｂも第１基板上の接続パッドに接続されることとなるので、第１補強金具５１の第１基板への接続強度が向上するとともに、より多くの箇所を通して電流が流れることとなるので、導電抵抗が低下する。
【００９４】
さらに、接続腕部５３は、第１接続脚部５６ａの前端５６ｆよりも前方の部分の幅が、第１本体部５２に接続された基端の幅よりも大きい。これにより、接続腕部５３における第１接続脚部５６ａからの電流が合流した箇所以降の部分の幅が増大するので、導電抵抗を低く抑えることができる。
【００９５】
さらに、接触腕部５４の幅は、接続腕部５３における第１本体部５２に接続された基端の幅よりも大きい。これにより、第２補強金具１５１と接触する部分までの経路が長くても、その幅が増大するので、導電抵抗を低く抑えることができる。
【００９６】
さらに、第１本体部５２及び接続腕部５３の側面には、ニッケルの下地めっきの上に金めっきが施され、バリア部５８は、金めっきにレーザビーム５９が照射されたことによって、ニッケルが表面に露出した部分である。したがって、レーザビーム５９を照射することによって、はんだ上がり又はフラックス上がりを防止するバリア部５８を容易に形成することができる。
【００９７】
なお、本発明は前記実施の形態に限定されるものではなく、本発明の趣旨に基づいて種々変形させることが可能であり、それらを本発明の範囲から排除するものではない。
【産業上の利用可能性】
【００９８】
本発明は、コネクタに適用することができる。
【符号の説明】
【００９９】
１    第１コネクタ
１１    第１ハウジング
１１ａ、１１１ａ    嵌合面
１１ｂ、１１１ｂ    実装面
１２    凹部
１２ａ、１１３    凹溝部
１３    第１凸部
１４、１２２ｂ    側壁部
１５    第１端子収容キャビティ
１５ａ    第１端子収容内側キャビティ
１５ｂ    第１端子収容外側キャビティ
２１    第１突出端部
２１ａ    上面
２１ｂ、１２２ａ    端壁部
２１ｃ    側壁延長部
２１ｆ    内壁部
２１ｇ    中央部
２１ｋ    外壁部
２２    嵌合凹部
２５    内端凸部
２５ａ    対向平面
２６    第１金具保持凹部
２６ａ    第２接続腕部収容開口部
２６ｅ    第１接続腕部収容開口部
５１、８５１    第１補強金具
５２    第１本体部
５２ａ    コーナ部
５３    接続腕部
５４    接触腕部
５４ａ、５７ａ    上側覆部
５４Ａ    接触上腕部
５４ｂ、５７ｂ    内側覆部
５４Ｂ    接触前腕部
５４ｃ    湾曲凸部
５４ｆ、５６ｆ    前端
５４ｒ、５６ｒ    後端
５６ａ    第１接続脚部
５６ａ１    垂直部
５６ａ２    水平部
５６ｂ    第２接続脚部
５７    中央ガイド部
５７ｃ    凸部収容開口
５８    バリア部
５９−１、５９−２、５９−３、５９−４    レーザビーム
６１    第１端子
６２、１６２    テール部
６３    被保持部
６４    下側接続部
６５、１６５    第１接触部
６６、１６６    第２接触部
６７    上側接続部
１０１    第２コネクタ
１１１    第２ハウジング
１１２    第２凸部
１２２    第２突出端部
１２２ｃ    補強金具収容凹部
１５１、９５１    第２補強金具
１５２    第２本体部
１５４    側方覆部
１５５    接触側板部
１５６    基板接続部
１５７    中央覆部
１５８    保持用突出片
１６１    第２端子
１６４    接続部
８５２、９５２    本体部
８５４、９５２ａ    ハウジング係止用凸部
８５６ａ    第１基板接続部
８５６ｂ    第２基板接続部
８５８、９５８    側方係合片
８５８ａ、９５８ａ    側方係合凸部
９５６    基板接続部
【図１】
2018163894.tif 000003
【図２】
2018163894.tif 000004
【図３】
2018163894.tif 000005
【図４】
2018163894.tif 000006
【図５】
2018163894.tif 000007
【図６】
2018163894.tif 000008
【図７】
2018163894.tif 000009
【図８】
2018163894.tif 000010
【図９】
2018163894.tif 000011
【図１０】
2018163894.tif 000012
【図１１】
2018163894.tif 000013